(57)【要約】【課題】磁気ヨークによりアークに作用する電磁力は高まるが、部品点数の増加からコスト増となる。また、数ｋＡを超えるような事故電流が流れた場合、磁気ヨークが磁気飽和してアークへ作用させる電磁力が低減し遮断信頼性が低下する。【解決手段】接離可能な一対の接点の内、一方の接点２４が設けられ該一方の接点に至る電路に反発電路２２及び吸引電路２３が形成された第１の接触子２と、前記一対の接点の他方の接点が設けられた第２の接触子３と、前記一方の接点上に形成されるアーク発生空間の少なくとも一部に対向するように設けられた磁気ヨーク部５１と前記反発電路に電気的に接続されたアークホーン部５２が磁性体によって一体に形成され、前記磁気ヨーク部と前記アークホーン部を結ぶ磁路に磁気抵抗が高くなるようにした断面積縮小部５３が介在された磁気ヨーク型アークホーン５と、を備えるようにした。【選択図】図２
2014139913.tif 000002
【特許請求の範囲】
【請求項１】
接離可能に設けられた一対の接点の内、一方の接点が設けられ前記一方の接点に至る電路に反発電路及び吸引電路が形成された第１の接触子と、
前記一対の接点の内、他方の接点が設けられた第２の接触子と、
前記一方の接点上に形成されるアーク発生空間の少なくとも一部に対向するように設けられた磁気ヨーク部と前記反発電路に電気的に接続されたアークホーン部が磁性体によって一体に形成され、前記磁気ヨーク部と前記アークホーン部を結ぶ磁路に磁気抵抗が高くなるようにした断面積縮小部が介在された磁気ヨーク型アークホーンと、
を備えたことを特徴とする開閉器。
【請求項２】
前記一方の接点上のアーク発生空間に対向する前記磁気ヨーク部のアーク露出面の少なくとも一部に、アークから前記第１の接触子と前記磁気ヨーク型アークホーンを隔離する絶縁物からなるアーク保護カバーを設けたことを特徴とする請求項１に記載の開閉器。
【請求項３】
前記磁気ヨーク部及び前記アークホーン部の間の少なくとも一部がアークに露出されるようにしたことを特徴とする請求項１または請求項２に記載の開閉器。
【請求項４】
前記アークホーン部は、前記吸引電路を通流する電流の方向に直交する方向の両端部が前記吸引電路と前記反発電路の間の隙間に入り込むように折曲形成され、前記断面積縮小部は前記隙間内に配設されていることを特徴とする請求項１から請求項３の何れか１項に記載の開閉器。
【請求項５】
前記アークホーン部における前記両端部をさらに前記吸引電路を通流する電流の方向に直交する方向にさらに延伸することで前記アークホーン部の熱容量を増大させたことを特徴とする請求項４に記載の開閉器。
【請求項６】
前記アークホーン部を折り曲げ２段以上で重なるように形成することで前記アークホーン部の熱容量を増大させたことを特徴とする請求項１から請求項５の何れか１項に記載の開閉器。
【請求項７】
接離可能に設けられた一対の接点の内、一方の接点が設けられ前記一方の接点に至る電路に反発電路及び吸引電路が形成された第１の接触子と、
前記一対の接点の内、他方の接点が設けられた第２の接触子と、
開極時に前記一対の接点相互の間に生じるアークを消弧し得る位置に設けられた消弧グリッドと、
前記一方の接点上に形成されるアーク発生空間の少なくとも一部に対向するように設けられた磁気ヨーク部とアークを消弧するための消弧部が磁性体によって一体に形成され、前記磁気ヨーク部と前記消弧部を結ぶ磁路に磁気抵抗が高くなるようにした断面積縮小部が介在された磁気ヨーク型消弧板と、
前記磁気ヨーク部のアークに対する露出面の少なくとも一部に、アークから前記一方の接触子と前記磁気ヨーク部を隔離する絶縁物からなるアーク保護カバーと、
を備えたことを特徴とする開閉器。
【請求項８】
前記磁気ヨーク部及び前記消弧部の間の少なくとも一部がアークに露出されるようにしたことを特徴とする請求項７に記載の開閉器。
【請求項９】
前記消弧部を折り曲げ２段以上で重なるように形成することで前記消弧部の熱容量を増大させたことを特徴とする請求項７または請求項８に記載の開閉器。
【請求項１０】
前記一方の接点上に位置するアーク発生空間に対向する前記吸引電路の少なくとも一部が前記反発電路よりも前記第２の接触子の開極方向側に配置されたことを特徴とする請求項１から請求項８の何れか１項に記載の開閉器。
【請求項１１】
前記磁気ヨーク部は、前記吸引電路の前記反発電路側の端面を前記アークから遮蔽するように設置されていることを特徴とする請求項１から請求項８の何れか１項に記載の開閉器。
【発明の詳細な説明】
【技術分野】
【０００１】
この発明は配線用遮断器や漏電遮断器などに用いることができる接点間に発生するアークを消弧して電路を開放する開閉器に関するものである。
【背景技術】
【０００２】
従来の開閉器として、磁性体で構成されたＵ字状の磁気ヨークと、アークを転流するためのアークホーンとを一体にして形成し、磁気ヨークを可動接触子の可動範囲と重ならないように固定接点と閉極状態にある可動接触子を２方向から覆うように配置することでアークまたは可動接触子に作用する電磁力を強化し、アークを接点上から速やかに引き外すことを可能にするようにした回路遮断器がある（例えば特許文献１参照）。
【先行技術文献】
【特許文献】
【０００３】
【特許文献１】特開平８−２２７６４８号公報（第７頁、図１）
【発明の開示】
【発明が解決しようとする課題】
【０００４】
前記のような従来の開閉器では、固定接触子を流れる電流によって生じるアークをアークホーンへと転流させる磁束が、磁気ヨークとアークホーンとを一体としたことで形成される磁気回路によって迂回するため前記磁束がアークに作用せず、アークを転流させる電磁力を強化する効果を十分に得られない。従って、接点上からのアークの引き外しが困難になる数１００Ａ以上の過負荷電流領域及び数ｋＡ以上の短絡電流領域において、接点上にアークが長時間膠着してしまい、接点劣化が生じる。これにより、接触抵抗が増大し、接点間の温度上昇を引き起こすことがある。また、接点上からアークホーンにアークを転流させても、アークホーンと磁気ヨークとの間で磁気回路が形成されアークが磁気ヨーク側へ吸引すされるため、アークが接点上に引き戻され、接点の劣化や遮断信頼性が低下するおそれもある。また、磁気ヨークにおいては、数ｋＡ以上の短絡電流領域では電流によって生じる磁束密度が高まり磁気飽和を起こすため、磁気ヨークによるアークをアークホーンへ転流させる電磁力を高める効果は低下し、十分な電磁力を作用できずに接点の劣化だけでなく遮断信頼性も低下してしまうという課題があった。
【０００５】
本発明は前記のような従来技術の課題を解消するためになされたもので、磁気ヨークとアークホーンを一体としても、数１００Ａから数ｋＡ以上の電流が流れた場合においても可動接触子またはアークに十分な電磁力を作用させ、接点劣化の抑制や遮断の信頼性が向上された開閉器を提供することを目的としている。
【課題を解決するための手段】
【０００６】
この発明に係る開閉器は、接離可能に設けられた一対の接点の内、一方の接点が設けられ前記一方の接点に至る電路に反発電路及び吸引電路が形成された第１の接触子と、前記一対の接点の内、他方の接点が設けられた第２の接触子と、前記一方の接点上に形成されるアーク発生空間の少なくとも一部に対向するように設けられた磁気ヨーク部と前記反発電路に電気的に接続されたアークホーン部が磁性体によって一体に形成され、前記磁気ヨーク部と前記アークホーン部を結ぶ磁路に磁気抵抗が高くなるようにした断面積縮小部が介在された磁気ヨーク型アークホーンと、を備えたものである。
【発明の効果】
【０００７】
この発明においては、磁気ヨーク部とアークホーン部を一体にした磁気ヨーク型アークホーンの磁気ヨーク部とアークホーン部の間に磁気抵抗が高くなるようにした断面積縮小部を設けるようにしたので、例えば数１００Ａから数ｋＡ以上の広い電流領域で、アークをアークホーンへ転流させる電磁力を高めることができ、接点の劣化が抑制されると共に遮断信頼性を向上させることができる。また、部品点数が増えることがないので、コストアップさせずに性能強化が可能となる。
【図面の簡単な説明】
【０００８】
【図１】本発明の実施の形態１に係る開閉器の開極状態における機構部及びリレー部と消弧室部分の要部構成を示す側面図である。
【図２】本発明の実施の形態１に係る開閉器の開極状態における消弧室部分の要部構成を示す組立斜視図である。
【図３】本発明の実施の形態１に係る磁気ヨーク型アークホーンで形成される磁気回路を従来の場合と比較して示す説明図である。
【図４】本発明の実施の形態２に係る開閉器における磁気ヨーク型消弧板及びアーク保護カバー付近の要部構成を示す図であり、（ａ）は側面断面図、（ｂ）は図４（ａ）のＩＶｂ-ＩＶｂ線における断面図である。
【図５】図４に示された磁気ヨーク型消弧板を示す斜視図である。
【図６】本発明の実施の形態３に係る開閉器における磁気ヨーク型アークホーン及びアーク保護カバー付近の要部構成を示す消弧室部の短手方向の中央で切断した断面図である。
【図７】本発明の実施の形態４に係る開閉器における磁気ヨーク型アークホーン及びアーク保護カバー付近の要部構成を示す側面図である。
【図８】本発明の実施の形態５に係る開閉器における磁気ヨーク型アークホーン及び固定接触子の要部構成を示す斜視図である。
【図９】本発明の実施の形態６に係る開閉器における磁気ヨーク型アークホーン及び固定接触子の要部構成を示す斜視図である。
【図１０】本発明の実施の形態７に係る開閉器における磁気ヨーク型消弧板を示す斜視図である。
【図１１】本発明の実施の形態７に係る開閉器における磁気ヨーク型アークホーン及び固定接触子の要部構成を示す斜視図である。
【発明を実施するための形態】
【０００９】
実施の形態１．
図１、図２はそれぞれ本発明の実施の形態１に係る開閉器の開極状態における機構部及びリレー部と消弧室部分の要部構成を概略的に示す側面図と組立斜視図である。なお、各図を通じて同一部材、または相当部分には同一符号を付している。図において、開閉器を構成する筐体１は、絶縁物によって成形されたケース１１及びカバー１２からなり、筐体１の両端部には、外部の電力回路と接続される端子部２１、３１が配設され、中央部には後述する消弧室Ａや駆動機構部７などの収容部１３が設けられている。
【００１０】
収容部１３には、端子部２１と一体的に形成され、反発電路２２と吸引電路２３とで形成され、前記反発電路２２の所定部に固定接点（一方の接点）２４が設けられた固定接触子（第１の接触子）２と、固定接点２４に接離する可動接点（他方の接点）３２を有し、回転軸３３のまわりに回動するように設けられた可動接触子（第２の接触子）３と、この可動接触子３の先端と対向するように固定接触子２の上方に配置され、開極時に固定接点２４と可動接点３２の間に発生するアーク（図示省略。以下も同様省略する）を取り込み冷却するための、複数枚の消弧板を所定間隔で保持して重ねられた消弧グリッド４が設けられている。
【００１１】
収容部１３には、更に、アークまたは固定接点２４の少なくとも一部を挟んでその両側部に対向するように対称的に設けられた一対の磁気ヨーク部５１と、一対の磁気ヨーク部５１相互を接続するように設けられたアークホーン部５２と、前記磁気ヨーク部５１とアークホーン部５２との間に介装されて前記接続部を構成し、磁気ヨーク部５１とアークホーン部５２との間に形成される磁気回路の断面積を縮小した断面積縮小部５３を有する磁性体で一体形成された磁気ヨーク型アークホーン５が設けられている。磁気ヨーク型アークホーン５は固定接触子２と同電位となるように、反発電路２２における固定接点２４に対して吸引電路２３との分岐部とは反対側でアークホーン部５２が電気的、機械的に固定されている。
【００１２】
磁気ヨーク部５１は吸引電路２３の反発電路２２側端面の一部とアーク発生空間の間に前記端面をアークから遮蔽するように反発電路２２と吸引電路２３の間隙部に図の下端部が入り込み、吸引電路２３の反発電路２２側の端面をアークから遮蔽するように設置されている。なお、図１、図２に示すように、固定接点２４上に形成されるアーク発生空間に対向する吸引電路２３の一部は、反発電路２２よりも可動接触子３の開極方向側に位置するように形成され、反発電路２２に対して、その両側部に対称的に設けられた吸引電路２３とは段差を有するように構成されている。
【００１３】
可動接触子３側の端子部３１は異常電流を検知して開極指令を出力するリレー部６に電気的に接続され、さらに前記リレー部６と前記可動接触子３は、該可動接触子３の回転軸３３側で電気的に接続されている。前記筐体１内部には、リレー部６から出力される前記開極指令の伝達先である駆動機構部７なども収納されており、可動接触子３は駆動機構部７に対して図示省略しているリンク機構によって回転軸３３のまわりに回動され、固定接点２４に対して可動接点３２が開閉動作されるように構成されている。なお、筐体１の消弧室Ａ部を含む開閉部分は、さらに図１の紙面に前後方向に複数区分され、２〜４相分並設されている（図示省略）。また、磁気ヨーク部５１のアーク発生空間に対するアーク露出面には高分子材料などの絶縁物で構成されたアーク保護カバー８が設けられている。
【００１４】
また、アーク発生に伴う熱ガスを開閉器の外部に放出するため、図１の筐体１の右側部には図示していない排気口が設けられている。このため、アーク発生時に消弧室Ａの内部圧力が上昇したときに、両接点２４、３２間の空間と前記排気口の間には強力な圧力勾配が生じ、消弧グリッド４にアークを押し込むガスの流れが発生する。なお、この実施の形態１では前記磁気ヨーク型アークホーン５を固定接触子２に対して設けた場合について説明するが、これに限定されるものではない。なお、消弧板や消弧グリッド４の形状、その他図示していない部分の構成等は、例えば特許文献１の従来技術などと同様である。
【００１５】
次に、上記のように構成された実施の形態１の動作について、本発明の典型的な特徴部分である前記磁気ヨーク型アークホーン５で形成される磁気回路と電磁力改善の効果について図３を参照して説明する。なお、図３は本発明の実施の形態１に係る断面積縮小部５３を有する磁気ヨーク型アークホーンで形成される磁気回路を従来の場合と比較して示す説明図であり、（ａ）及び（ｂ）は反発電路２２を流れる電流による磁束を概念的に示すもので、（ａ）は断面積縮小部５３を持たない従来の磁気ヨーク型アークホーンの場合、（ｂ）は実施の形態１の場合を示している。（ｃ）は実施の形態１の吸引電路２３を流れる電流による磁束を概念的に示している。なお、図３（ａ）に図示された磁気ヨーク型アークホーン５は、便宜上、本発明の実施の形態１と同様のものであり、矢印Ｂで示された磁束のみが以下説明する従来の磁気ヨーク型アークホーンの場合に対応する。また、吸引電路２３等は便宜的にフラットに示しているので、図１、図２とは一致していない。
【００１６】
従来の固定接触子は図３（ａ）に示すような１本の反発電路と２本の吸引電路から形成され、断面積縮小部５３の無い磁気ヨーク型アークホーンにより反発電路及び吸引電路から発生する磁束の形態は以下のようになる。
まず、反発電路内を流れる電流から発生する磁束は、実線の矢印Ｂで示すように、磁気ヨーク型アークホーンにより前記磁束の一部が前記固定接点上にあるアーク発生空間を通過せずに、アークホーン部を通過するため、アークを駆動するための電磁力が低下してしまう。特にアークの消弧が困難な数１００Ａ以上の過負荷電流領域においては、前記磁気ヨーク部による電磁力の改善効果を十分に利用できないと遮断時間が延長する恐れがあるという問題があった。なお、図３（ａ）の矢印Ｂの内、破線で示す部分は図の紙面の下側部分を示す。
【００１７】
これに対して、実施の形態１に係る断面積縮小部５３を有する磁気ヨーク型アークホーン５を備えた開閉器では、図３（ｂ）に示すように、磁気ヨーク部５１とアークホーン部５２との間で磁気抵抗を高めるように磁気回路の断面を縮小した断面積縮小部５３が形成されていることで、アークホーン部５２を通過する磁束が低減され、磁気回路の断面縮小部で磁気飽和を引き起し易くなる。従って、磁束が前記アークホーン部を通過しづらくなり、図３（ｂ）の矢印Ｃで示すように、固定接点２４の上部のアーク空間を通る磁束が形成され、電磁力の改善効果が低下することなく安定してアークを消弧できるようになる。
【００１８】
なお、前記効果は反発電路２２内に電流を流す必要があるため、吸引電路２３と磁気ヨーク型アークホーン５の間には間隔を設け、電気的に離して形成しなければならない。ただし、磁気ヨーク型アークホーン５に反発電路２２及び吸引電路２３に用いられる例えば銅などの良導体である材料よりも、導電率が約１／５以下になるような、例えば鉄系の材料などを用いる場合には、磁気ヨーク型アークホーン５にほとんど電流が流れないため、磁気ヨーク型アークホーン５と吸引電路２３は接触していても良いが、この場合では図１〜図３に示すように、アークホーン部２１を反発電路２２の固定接点２４の配置位置よりアークの駆動方向側で電気的に接触させておく必要がある。
【００１９】
一方、吸引電路２３内を流れる電流によって発生するアークの駆動を妨げる磁束は、図３（ｃ）の矢印Ｄで示すように、磁気ヨーク型アークホーン５の磁気ヨーク部５１による磁気シールド効果により、磁束を固定接点２４上の図示されていない開極時の可動接点３２との間に形成されるアーク発生空間に及ぼさないようにすることができる。ただし、この効果は磁気ヨーク部５１の厚み方向の中心面が、吸引電路２３の中心位置と隣り合う反発電路２２の中心位置の相互の中間位置よりも吸引電路２３側に位置すると、前記磁気シールド効果が作用せずに、吸引電路２３によって発生する磁束の効果を高めてしまうため、磁気ヨーク部５１の厚み方向の中心面は前記中間位置よりも反発電路２２側に偏倚させて配置する必要がある。
【００２０】
また、前記磁気ヨーク部５１が固定接点２４上に位置するアーク発生空間に露出していると、アークが磁気ヨーク部５１に転流し、磁気ヨーク型アークホーン５内に電流が流れて、その電流によりアークの駆動を阻害する磁束が発生するが、ここでは磁気ヨーク部５１のアーク露出面には高分子材料などの絶縁物で構成したアーク保護カバー８が設けられて、磁気ヨーク部５１とアーク発生空間とが隔離され、磁気ヨーク部５１の表面が保護されている。
【００２１】
上記のように、実施の形態１によれば、磁気ヨーク部５１とアークホーン部５２を一体とした磁気ヨーク型アークホーン５における磁気ヨーク部５１とアークホーン部５２との間で形成される磁気回路の断面積を縮小する断面積縮小部５３を設けたことで、例えば数１００Ａ以上の過負荷電流領域における回路遮断時に、磁気ヨーク部５１とアークホーン部５２との間の断面積縮小部５３で磁気飽和による磁気ギャップが発生し、アークに十分な電磁力を作用させることが可能になり、接点の劣化の抑制や遮断信頼性を向上できる。磁気ヨーク部５１とアークホーン部５２とは、断面積縮小部５３を介して一体化されているので、部品点数を増やすことなく、アークへ作用させる電磁力の改善効果が得られる。
【００２２】
また、磁気ヨーク部５１においては、数ｋＡを超えるような短絡電流が回路内を流れる場合には、磁気ヨーク部５１のほとんどの箇所で磁気飽和が生じて電磁力の改善効果は小さくなるが、実施の形態１によれば、固定接点２４上に位置するアーク発生空間に対向する吸引電路２３の一部を反発電路２２よりも可動接触子３の開極方向側に配置したことで、磁気ヨーク部５１に磁気飽和が発生する数ｋＡ以上の大電流を遮断する場合においても、吸引電路２３から発生する磁束に基づく電磁力の阻害効果を抑制して、アークへ作用させる電磁力を高めることが可能になり、磁気ヨーク部５１の併用により過負荷電流領域から短絡電流領域に至るまでの広い電流領域で遮断信頼性を高めることができる。
【００２３】
また、前記磁気ヨーク部５１においては、吸引電路２３の反発電路２２側端面の一部とアーク発生空間の間に前記端面を前記アークから遮蔽するように磁気ヨーク部５１を配置することで、アークの駆動を阻害する吸引電路２３から発生する磁束に対する磁気シールド効果をさらに高めることが可能になり、前記アークに作用させる電磁力がさらに改善され、接点劣化の抑制や遮断信頼性を高めることができる。
【００２４】
また、磁気ヨーク部５１のアーク発生空間に対するアーク露出面には高分子材料などの絶縁物で構成されたアーク保護カバー８が設けられて、磁気ヨーク部５１をアーク発生空間から隔離されるようにしたので、磁気ヨーク部５１に前記アークが転流し難くなると同時に、アークに対する細隙効果（アーク収縮効果）を得るため、限流性能を高めることができる。また、アーク保護カバー８から発生する溶発ガス（冷却ガス）によるガス流などの利用からアークを駆動することができ、アークホーン部５２や消弧グリッド４にアークを容易に引きこむことができる。
【００２５】
実施の形態２．
図４は本発明の実施の形態２に係る開閉器における磁気ヨーク型消弧板及びアーク保護カバー付近の要部構成を示す図であり、（ａ）は側面断面図、（ｂ）は図４（ａ）のＩＶｂ-ＩＶｂ線における断面図である。図５は図４に示された磁気ヨーク型消弧板を示す斜視図である。図において、磁気ヨーク型消弧板９はアークへの電磁力を高めるための間隔をあけて対向された一対の磁気ヨーク部９１と、この一対の磁気ヨーク部９１相互を繋ぐように設けられたアークを消弧するための消弧部９２と、磁気ヨーク部９１と消弧部９２の間を繋ぐ部分に介在され、それら磁気ヨーク部９１と消弧部９２を通るように形成される磁路の断面積を小さくした断面積縮小部９３が設けられ、左右対称に一体的に形成されている。
【００２６】
また、前記磁気ヨーク部９１においては、固定接点２４上のアーク発生空間に対する磁気ヨーク部９１のアーク露出面をアーク保護カバー８Ａで保護することで、磁気ヨーク部９１へのアークの転流を阻止すると同時に、アーク保護カバー８Ａの溶発現象から生じるアブレーション効果により限流性能を高めている。また、固定接触子２の固定接点２４よりも図示されていない排気口側（図４の右側）には、アークホーン２５が設けられている。なお、図４（ｂ）に示すように反発電路２２は図の左右の吸引電路２３よりも若干可動接点側に位置するように形成されている。その他の構成は実施の形態１と同様である。
【００２７】
上記のように構成された実施の形態２によれば、アークを容易にアークホーン２５側へ駆動できるとともに可動接触子３の高速開極が可能になる。従って、可動接触子３の開極が進行すると、アークは磁気ヨーク型消弧板９の消弧部９２に誘導されるが、この場合に磁気ヨーク部９１と消弧部９２との間で磁気飽和が発生することと、アークの熱により消弧部９２または磁気ヨーク部９１と消弧部９２の間でキュリー温度を超えて磁性が維持できなくなることと、による効果から磁気ヨーク部９１と消弧部９２との間の断面積縮小部９３で磁気ギャップが発生するため、アークに対する磁気ヨーク部９１への吸引力は作用し難くなり、消弧に至るまでアークを安定して消弧部に停留させることができる。
【００２８】
実施の形態３．
図６は本発明の実施の形態３に係る開閉器における磁気ヨーク型アークホーン及びアーク保護カバー付近の要部構成を示す消弧室部の短手方向の中央で切断した断面図である。図において、磁気ヨーク型アークホーン５は図２に示す実施の形態１と同様に形成されている。そして、前記磁気ヨーク型アークホーン５を保護するアーク保護カバー８Ｂは磁気ヨーク部５１とアークホーン部５２の間の一部をアークに露出させるように窓穴８１が形成され、この例では断面積縮小部５３の一部からアークホーン部５２に至る付近にアーク露出部Ｅが設けられている。なお、反発電路はハッチングで示すように吸引電路よりも若干可動接点側に位置するように形成されている。その他の構成は実施の形態１と同様である。
【００２９】
上記のように構成された実施の形態３においては、アーク保護カバー８Ｂに窓穴８１が設けられていることにより、アークのアーク熱によりアーク保護カバー８Ｂから溶発ガスが容易に発生するため、固定接点２４付近では圧力が高く、アークホーン部５２付近では圧力が低くなる状況になる。従って、前記アークをアークホーン部５２に誘導するための圧力勾配による力が発生し、容易にアークをアークホーン部５２に移すことができる。さらに、アークホーン部５２に移動したアークのアーク熱によりアークホーン部５２と磁気ヨーク部５１との間のアーク露出部Ｅが熱せられ、磁気ヨーク型アークホーン５のアーク露出部Ｅはキュリー温度を超える温度まで到達する。
【００３０】
従って、実施の形態３によれば、磁気ヨーク部５１とアークホーン部５２の間をアークに露出することで、この箇所の温度がキュリー温度を超え、アーク露出部Ｅの磁性がなくなるため、アークと磁気ヨーク部５１の間の磁気ギャップが拡大し、アークに対する磁気ヨーク部５１への吸引力の作用は低減し、消弧に至るまでアークを安定してアークホーン部５２に停留させることができる。また、前記磁気ヨーク型アークホーン５においては、アーク熱によりアーク露出部Ｅが溶融し、磁気ヨーク部５１とアークホーン部５２の間の磁気回路断面を縮小した断面積縮小部５３が溶融により切断する恐れがあるが、図６に示すように特に前記断面が小さくなる断面積縮小部５３の一部はアーク保護カバー８Ｂで保護されるように形成することで、切断の可能性を著しく低くすることができる。
【００３１】
実施の形態４．
図７は本発明の実施の形態４に係る開閉器における磁気ヨーク型アークホーン及びアーク保護カバー付近の要部構成を示す側面図である。図において、磁気ヨーク型アークホーン５Ａは、磁気ヨーク部５１Ａが固定接点２４に対向された部分から、可動接触子３の先端部及び可動接点３２の開極軌道に凡そ沿うように可動接点３２の開極位置の近くまで図の上方向に伸びて形成されている。そして、その上方向に伸びた磁気ヨーク部５１Ａは、アーク保護カバー８Ｃで覆われており、電流遮断時に形成されるアークに対して隔離されている。その他の構成は実施の形態１と同様である。
【００３２】
上記のように構成された実施の形態４においては、磁気ヨーク部５１Ａを可動接点３２の開極位置の近くまで伸長したことにより、反発電路２２（図２参照）から発生する磁束に基づくアークをアークホーン部５２及び消弧グリッド４に誘導するための電磁力、または、可動接触子３を開極させるための電磁力、を可動接点３２の開極位置近くに至るまで高めることができるため、可動接触子３の高速開極とアークへの電磁力により速やかに電流を限流できるようになる。また、アーク保護カバー８Ｃが両接点２４、３２間に位置するため、アーク保護カバー８Ｃから発生する溶発ガスの影響により、一旦消弧グリッド４の奥側（図の右側）に移ったアークが両接点間に戻り難くなるため、アークの消弧が安定し、遮断信頼性が向上するという効果が得られる。
【００３３】
実施の形態５．
図８は本発明の実施の形態５に係る開閉器における磁気ヨーク型アークホーン及び固定接触子の要部構成を示す斜視図である。この実施の形態５は、実施の形態１における磁気ヨーク型アークホーンを更に変形したものである。図において、磁気ヨーク型アークホーン５Ｂにおけるアークホーン部５２Ｂは、吸引電路２３を通流する電流の方向に直交する方向の両端部が図８の紙面下方向に折曲形成されて、吸引電路２３と反発電路２２の間の隙間に入り込んでいる。そして、磁気ヨーク部５１Ｂの図における下端部と、前記アークホーン部５２Ｂと磁気ヨーク部５１Ｂを接続する断面積縮小部５３Ｂも吸引電路２３と反発電路２２の間の隙間に入り込むように形成され、設置されている。なお、反発電路２２と吸引電路２３は略同一平面に設けられている。その他は実施の形態１と同様である。
【００３４】
上記のように構成された実施の形態５は、磁気ヨーク型アークホーン５２Ｂを構成する金属板の内、断面積縮小部５３Ｂなどがアーク発生空間側に対向しないように構成したものである。かかる構成により、アークホーン部５２Ｂに転流したアークからのアーク熱による磁気ヨーク型アークホーン５Ｂを構成する金属板の損耗から磁気ヨーク部５１Ｂが脱落する危険性を低減させたことと、前記アークの磁気ヨーク部５１Ｂへの吸引作用を低下させることができる。
【００３５】
また、磁気ヨーク型アークホーン５Ｂのアーク発生空間側にアーク保護カバー８（図２に図示）を配置する場合には、アークホーン部５２Ｂ付近におけるアーク保護カバー８を配置するスペースが拡大するため、前記アークホーン部５２Ｂに転流したアークのアーク熱によりアーク保護カバー８が多少損耗したとしても、アークに安定してアーク保護カバー８によるアブレーション効果を作用させることができる。従って、多数回の電流遮断を行う場合においても、アークの消弧性能が低下することがないため、遮断の信頼性を向上できる。
【００３６】
実施の形態６．
図９は本発明の実施の形態６に係る開閉器における磁気ヨーク型アークホーン及び固定接触子の要部構成を示す斜視図である。この実施の形態６では、磁気ヨーク型アークホーン５Ｃのアークホーン部５２Ｃの体積を拡大したことと、前記アークホーン部５２Ｃと磁気ヨーク部５１Ｃの間に位置する磁気回路の断面積縮小部５３Ｃの磁気抵抗をさらに高めたこと、を特徴としており、実施の形態５の変形例に相当する。図９において、アークホーン部５２Ｃは、吸引電路２３を流れる電流の方向に直交する方向の端部５２Ｃ１が吸引電路２３の上面部に達するまで延伸されている。そして、断面積縮小部５３Ｃは、前記端部５２Ｃ１における磁気ヨーク部５１Ｃ側を該磁気ヨーク部５１Ｃ側に狭い磁路で延伸し、さらに中央部の反発電路２２方向に吸引電路２３と反発電路２２の間まで延伸し、そこから吸引電路２３と反発電路２２の間の隙間に入り込むように図の下方向に折曲し、磁気ヨーク部５１Ｃの図の下端部から延伸された片に接続されるように、屈曲して形成されている。その他の構成は実施の形態５と同様である。
【００３７】
上記のように構成された実施の形態６においては、アークホーン部５２Ｃの体積を実施の形態５よりも拡大すると共に、アークホーン部５２Ｃと磁気ヨーク部５１Ｃの間の断面積縮小部５３Ｃの磁気抵抗をさらに高めたことにより、アークをアークホーン部５２Ｃ側に駆動するための電磁力がさらに高まり、アークホーン部５２Ｃの熱容量の拡大からアークホーン部の耐消耗性が改善し、遮断の信頼性を更に高めることができる。なお、図に示す吸引電路においては、断面積縮小部５３Ｃをアークホーン部のアーク発生空間とは逆側に配置しているが、実施の形態１のようにアーク発生空間側に配置してもよい。
【００３８】
実施の形態７．
図１０は本発明の実施の形態２に係る開閉器における磁気ヨーク型消弧板の変形例を示す斜視図、図１１は本発明の実施の形態６に係る開閉器における磁気ヨーク型アークホーン変形例を示す斜視図である。この実施の形態７では、一枚の板から折り曲げて形成された前記磁気ヨーク型消弧板と、前記磁気ヨーク型アークホーンのアークホーン部および消弧部を折り曲げにより２重に重ねて構成している。この実施の形態７によれば、アークの転流先にあたる消弧部およびアークホーン部の耐消耗性が改善し、遮断の信頼性を更に高めることができる。
なお、本発明は、その発明の範囲内において、各実施の形態の一部または全部を自由に組み合わせたり、各実施の形態を適宜、変形、省略したりすることが可能である。
【符号の説明】
【００３９】
１  筐体、  １１  ケース、  １２  カバー、  １３  収容部、  ２  固定接触子（第１の接触子）、  ２１  端子部、  ２２  反発電路、  ２３  吸引電路、  ２４  固定接点（一方の接点）、  ２５  アークホーン、  ３  可動接触子（第２の接触子）、  ３１  端子部、  ３２  可動接点（他方の接点）、  ３３  回転軸、  ４  消弧グリッド、  ５、５Ａ、５Ｂ、５Ｃ  磁気ヨーク型アークホーン、  ５１、５１Ａ、５１Ｂ、５１Ｃ  磁気ヨーク部、  ５２、５２Ｂ、５２Ｃ  アークホーン部、  ５２Ｃ１  端部、  ５３、５３Ｂ、５３Ｃ  断面積縮小部、  ６  リレー部、  ７  駆動機構部、  ８、８Ａ、８Ｂ、８Ｃ  アーク保護カバー、  ８１  窓穴、  ９  磁気ヨーク型消弧板、  ９１  磁気ヨーク部、  ９２  消弧部、  ９３  断面積縮小部、  Ａ  消弧室、  Ｅ  アーク露出部。
【図１】
2014139913.tif 000003
【図２】
2014139913.tif 000004
【図３】
2014139913.tif 000005
【図４】
2014139913.tif 000006
【図５】
2014139913.tif 000007
【図６】
2014139913.tif 000008
【図７】
2014139913.tif 000009
【図８】
2014139913.tif 000010
【図９】
2014139913.tif 000011
【図１０】
2014139913.tif 000012
【図１１】
2014139913.tif 000013